(57)【特許請求の範囲】
【請求項１】
浮体式風力タービンプラットフォームを建設し、組み立てる方法であって、
陸上の組立区域内で浮体式風力タービンプラットフォームベースのプレストレストコンクリートセクションを建設することと、
前記陸上の組立区域内の第１組立位置で、前記浮体式風力タービンプラットフォームベースのプレストレストコンクリートセクションを組み立てて前記浮体式風力タービンプラットフォームベースを形成することと、
前記浮体式風力タービンプラットフォームベースを前記陸上の組立区域内の第２組立位置に移動させることと、
前記第２組立位置で、浮体式風力タービンプラットフォームカラムのプレストレストコンクリートセクションを建設することと、
前記陸上の組立区域内の前記第２組立位置で、前記浮体式風力タービンプラットフォームカラムのプレストレストコンクリートセクションを組み立て、センターカラムと複数のアウターカラムとを前記浮体式風力タービンプラットフォームベース上に形成し、ハルを画定することと、
前記陸上の組立区域内の第３組立位置に前記ハルを移動させることと、
前記第３組立位置で、前記ハル上及び前記ハル内に二次構造を載置することと、
前記陸上の組立区域内の第４組立位置に前記ハルを移動させることと、
前記第４組立位置で、前記センターカラム上に風力タービンタワーを建設することと、
前記第４組立位置で、当該風力タービンタワー上に風力タービンを載置し、前記浮体式風力タービンプラットフォームを画定することと、
前記浮体式風力タービンプラットフォームを第５組立位置内の進水プラットフォームに移動させることと、
前記浮体式風力タービンプラットフォームを水域内に進水させることと、を含む方法であり、
前記浮体式風力タービンプラットフォームベースは、レールのシステム上で移動するよう構成されたプラットフォーム上で組み立てられ、
前記レールは、前記第１組立位置、前記第２組立位置、前記第３組立位置、前記第４組立位置、及び前記第５組立位置の間に延在し、
前記第５組立位置が、前記水域へ延在する２つのフィンガーピアを有するドックを含み、
前記フィンガーピアは、当該フィンガーピア上にレールのシステムを含むものであって、前記方法は、前記浮体式風力タービンプラットフォームベースの一部は、前記水域の面の上の前記フィンガーピア上で支持され、前記浮体式風力タービンプラットフォームベースの一部は前記ドック上で支持されるように、前記浮体式風力タービンプラットフォームを前記第５組立位置内の前記レール上で、前記フィンガーピアの前記レール上に移動させることをさらに含む、方法。
【請求項２】
前記浮体式風力タービンプラットフォームベースがキーストーンから径方向に延在する複数のボトムビームを含み、前記センターカラムが前記キーストーン上で組み立てられ、前記キーストーンに載置され、アウターカラムが各ボトムビームの遠位端上で組み立てられ、載置される、請求項１に記載の、浮体式風力タービンプラットフォームを建設し、組み立てる方法。
【請求項３】
請求項２に記載の、浮体式風力タービンプラットフォームを建設し、組み立てる方法であって、さらに、前記各ボトムビームを、当該ボトムビームの長手方向軸に沿って、前記キーストーンへポストテンションすることと、前記センターカラム及び前記アウターカラムをそれぞれ、前記センターカラムの長手方向軸、前記アウターカラムの長手方向軸に沿って、前記浮体式風力タービンプラットフォームベースへポストテンションすることと、を備える方法。
【請求項４】
請求項１に記載の、浮体式風力タービンプラットフォームを建設し、組み立てる方法であって、さらに、前記浮体式風力タービンプラットフォームベースのプレストレストコンクリートセクション及び前記浮体式風力タービンプラットフォームカラムのプレストレストコンクリートセクションを、前記陸上の組立区域内の複数の建設位置で建設することを備える方法。
【請求項５】
浮体式風力タービンプラットフォームを建設し、組み立てる方法であって、
浮体式風力タービンプラットフォームベースのプレストレストコンクリートセクションを建設することと、
陸上の組立区域内の第１組立位置で、前記浮体式風力タービンプラットフォームベースのプレストレストコンクリートセクションを組み立てて前記浮体式風力タービンプラットフォームベースを形成することと、
前記浮体式風力タービンプラットフォームベースを前記陸上の組立区域内の第２組立位置に移動させることと、
浮体式風力タービンプラットフォームカラムのプレストレストコンクリートセクションを建設することと、
前記陸上の組立区域内の前記第２組立位置で、前記浮体式風力タービンプラットフォームカラムのプレストレストコンクリートセクションを組み立て、センターカラムと複数のアウターカラムとを前記浮体式風力タービンプラットフォームベース上に形成し、ハルを画成することと、
前記陸上の組立区域内の第３組立位置に前記ハルを移動させることと、
前記ハル上及び前記ハル内に二次構造を載置することと、
前記陸上の組立区域内の第４組立位置に前記ハルを移動させることと、
前記センターカラム上に風力タービンタワーを建設することと、
当該風力タービンタワー上に風力タービンを載置し、前記浮体式風力タービンプラットフォームを画定することと、
前記浮体式風力タービンプラットフォームを第５組立位置内の進水プラットフォームに移動させることと、
前記浮体式風力タービンプラットフォームを水域内に進水させることと、を含む方法であり、
前記浮体式風力タービンプラットフォームベースは、レールのシステム上で移動するよう構成されたプラットフォーム上で組み立てられ、
前記レールは、前記第１組立位置、前記第２組立位置、前記第３組立位置、前記第４組立位置、及び前記第５組立位置の間に延在し、
前記第５組立位置が、前記水域へ延在する２つのフィンガーピアを有するドックを含み、
前記フィンガーピアは、当該フィンガーピア上にレールのシステムを含むものであって、前記方法は、
前記浮体式風力タービンプラットフォームベースの一部は、前記水域の面の上の前記フィンガーピア上で支持され、前記浮体式風力タービンプラットフォームベースの一部は前記ドック上で支持されるように、前記浮体式風力タービンプラットフォームを前記第５組立位置内の前記レール上で、前記フィンガーピアの前記レール上に移動させることと、
前記フィンガーピアの間で、且つ、前記フィンガーピア上で支持された前記浮体式風力タービンプラットフォームの下に、半水没式の進水バージであって該半水没式の進水バージのデッキから外側に延在する複数の浮揚性安定カラムを有する前記半水没式の進水バージを移動させることと、
当該進水バージが前記浮体式風力タービンプラットフォームを上昇させ、前記フィンガーピア及び前記ドックから離れるまで、前記半水没式の進水バージからバラストを取り除き、それによって前記浮体式風力タービンプラットフォームを前記半水没式の進水バージ上へ移すことと、
前記半水没式の進水バージを前記水域内の進水区域へ牽引することと、
前記半水没式の進水バージを、前記浮体式風力タービンプラットフォームが自由に浮揚するまで、前記水域の面の下に沈めることと、
前記浮体式風力タービンプラットフォームを前記半水没式の進水バージから移動させることと、をさらに備える方法。
【請求項６】
浮体式風力タービンプラットフォームを建設し、組み立てる方法であって、
浮体式風力タービンプラットフォームベースのプレストレストコンクリートセクションを建設することと、
浮体式風力タービンプラットフォーム組立区域における第１組立位置で、前記浮体式風力タービンプラットフォームベースのプレストレストコンクリートセクションを組み立てて前記浮体式風力タービンプラットフォームベースを形成することと、
前記浮体式風力タービンプラットフォームベースを陸上の組立区域内の第２組立位置に移動させることと、
浮体式風力タービンプラットフォームカラムのプレストレストコンクリートセクションを建設することと、
前記陸上の組立区域内の前記第２組立位置で、前記浮体式風力タービンプラットフォームカラムのプレストレストコンクリートセクションを組み立て、センターカラムと複数のアウターカラムとを前記浮体式風力タービンプラットフォームベース上に形成し、ハルを画定することと、
前記陸上の組立区域内の第３組立位置に前記ハルを移動させることと、
前記ハル上及び前記ハル内に二次構造を載置することと、
前記陸上の組立区域内の第４組立位置に前記ハルを移動させることと、
前記センターカラム上に風力タービンタワーを建設することと、
当該風力タービンタワー上に風力タービンを載置し、前記浮体式風力タービンプラットフォームを画定することと、
前記浮体式風力タービンプラットフォームを第５組立位置内の進水プラットフォームに移動させることと、
前記浮体式風力タービンプラットフォームを水域内に進水させることと、を含む方法であり、
前記浮体式風力タービンプラットフォームベースは、レールのシステム上で移動するよう構成されたプラットフォーム上で組み立てられ、
前記レールは、前記第１組立位置、前記第２組立位置、前記第３組立位置、前記第４組立位置、及び前記第５組立位置の間に延在し、
前記第５組立位置が、前記水域内へ延在する進水ドックを有するドックを含み、
前記進水ドックの第１端が、旋回可能に前記ドックに取り付けられ、前記進水ドックの第２端が前記ドックから前記水域内へ延在し、
前記進水ドックが、上に進水レールのシステムを含むものであって、
前記方法は、
前記浮体式風力タービンプラットフォームが前記進水ドック上で完全に支持されるまで、前記浮体式風力タービンプラットフォームを前記第５組立位置内の前記レール上で、前記進水ドックの前記進水レール上に移動させることと、
前記進水ドックの前記第２端を前記水域内へ下降させることと、
前記浮体式風力タービンプラットフォームを前記進水レール上で前記水域内へスライドさせることと、をさらに含む方法。
【請求項７】
浮体式風力タービンプラットフォームを建設し、組み立てる方法であって、
浮体式風力タービンプラットフォームベースの、プレストレスト補強コンクリートキーストーン、プレストレスト補強コンクリートビームセクション、及びプレストレスト補強コンクリートカラムベースセクションを、陸上の組立区域内の複数の建設位置で建設することと、
前記陸上の組立区域内の第１組立位置で、当該ビームセクション及び当該カラムベースセクションを組み立て、複数のボトムビームを形成することと、
前記第１組立位置で、３つのボトムビームを１つの前記キーストーンに組み立てることと、
前記第１組立位置で、各ボトムビームを、当該ボトムビームの長手方向軸に沿って、前記キーストーンへポストテンションし、浮体式風力タービンプラットフォームベースを画定することと、
前記浮体式風力タービンプラットフォームベースを、前記陸上の組立区域内の第２組立位置に移動することと、
浮体式風力タービンプラットフォームカラムのプレストレスト補強コンクリートセクションを、前記陸上の組立区域内の複数の建設位置で建設することと、
前記第２組立位置で、前記浮体式風力タービンプラットフォームカラムの複数のプレストレストコンクリートセクションを前記キーストーン上で組み立て、センターカラムを形成することと、
前記第２組立位置で、前記浮体式風力タービンプラットフォームカラムの複数のプレストレストコンクリートセクションを前記ボトムビームの各カラムベースセクション上で組み立て、アウターカラムを形成することと、
前記第２組立位置で、前記センターカラム及び前記アウターカラムをそれぞれ、前記センターカラムの長手方向軸、前記アウターカラムの長手方向軸に沿って、前記浮体式風力タービンプラットフォームベースへポストテンションし、ハルを画定することと、
前記陸上の組立区域内の第３組立位置に前記ハルを移動させることと、
前記第３組立位置で、前記ハル上及び前記ハル内に二次構造を載置することと、
前記陸上の組立区域内の第４組立位置に前記ハルを移動することと、
前記第４組立位置で、前記センターカラム上に風力タービンタワーを建設することと、
前記第４組立位置で、当該風力タービンタワー上に風力タービンを載置し、前記浮体式風力タービンプラットフォームを画定することと、
前記浮体式風力タービンプラットフォームを第５組立位置内の進水プラットフォームに移動させることと、
前記浮体式風力タービンプラットフォームを水域内に進水させることとを含む、方法。
【請求項８】
前記ハル上及び前記ハル内に二次構造を載置することは、前記ハル上及び前記ハル内に、トップビームと、キャットウォークと、タワーアクセスプラットフォームと、ラダーと、ハル機構システムと、ハル電気システムとのうちの１つ又は複数を載置することを含む、請求項７に記載の、浮体式風力タービンプラットフォームを建設し、組み立てる方法。
【請求項９】
前記センターカラム上に風力タービンタワーを建設することは、前記風力タービンタワーのセクションを建設することと、前記風力タービンタワーのセクションを前記センターカラム上で組み立て、前記風力タービンタワーを形成することと、を備える請求項７に記載の、浮体式風力タービンプラットフォームを建設し、組み立てる方法。
【請求項１０】
請求項９に記載の、浮体式風力タービンプラットフォームを建設し、組み立てる方法であって、さらに、前記風力タービンタワーのセクションを繊維強化ポリマ及び補強コンクリートのうちの１つで形成することを備える方法。
【請求項１１】
前記浮体式風力タービンプラットフォームベースが、前記陸上の組立区域内のレールのシステム上で移動するよう構成されたプラットフォーム上で建設される、請求項７に記載の、浮体式風力タービンプラットフォームを建設し、組み立てる方法。
【請求項１２】
前記レールが、前記第１組立位置、第２組立位置、第３組立位置、第４組立位置、及び第５組立位置の間に延在する、請求項１１に記載の、浮体式風力タービンプラットフォームを建設し、組み立てる方法。
【請求項１３】
請求項７に記載の、浮体式風力タービンプラットフォームを建設し、組み立てる方法であって、さらに、前記浮体式風力タービンプラットフォームベース、前記ハル、及び前記浮体式風力タービンプラットフォームが前記第１組立位置から前記第５組立位置の間で移動する、ジャッキ及びスライドシステム、を備える方法。
【請求項１４】
請求項７に記載の、浮体式風力タービンプラットフォームを建設し、組み立てる方法であって、さらに、前記浮体式風力タービンプラットフォームベース、前記ハル、及び前記浮体式風力タービンプラットフォームが前記第１組立位置から前記第５組立位置の間で移動する、エアバッグのヘビーリフティングシステム及び自己推進モジュラー輸送（ＳＰＭＴ）システムのうちの１つ、を備える方法。
【請求項１５】
前記第５組立位置が、前記水域へ延在する２つのフィンガーピアを有するドックを含み、前記フィンガーピアが、当該フィンガーピア上にレールのシステムを含む、請求項１２に記載の、浮体式風力タービンプラットフォームを建設し、組み立てる方法であって、さらに、前記浮体式風力タービンプラットフォームベースの一部は、前記水域の面の上の前記フィンガーピア上で支持され、前記浮体式風力タービンプラットフォームベースの一部は前記ドック上で支持されるように、前記浮体式風力タービンプラットフォームを前記第５組立位置内の前記レール上で、前記フィンガーピアの前記レール上に移動させることを備える方法。
【請求項１６】
請求項１５に記載の、浮体式風力タービンプラットフォームを建設し、組み立てる方法であって、さらに、
前記フィンガーピアの間で、且つ、前記フィンガーピア上で支持された前記浮体式風力タービンプラットフォームの下に、進水バージを移動させることと、
前記進水バージが前記浮体式風力タービンプラットフォームを上昇させ、前記フィンガーピア及び前記ドックから離れるまで、前記進水バージからバラストを取り除き、それによって前記浮体式風力タービンプラットフォームを前記進水バージ上へ移すことと、
前記進水バージを前記水域内の進水区域へ牽引することと、
前記進水バージのうちの一端を下降させることと、
前記浮体式風力タービンプラットフォームを前記進水バージから離し、前記水域内へスライドさせることと、を備える方法。
【請求項１７】
前記進水バージのデッキが、前記進水バージのデッキ上に進水レールのシステムを含み、旋回プラットフォームが、前記進水バージの前記デッキに載置され、前記進水バージの前記デッキに対して旋回するよう構成された、請求項１６に記載の、浮体式風力タービンプラットフォームを建設し、組み立てる方法であって、さらに、
前記浮体式風力タービンプラットフォームの重心が、前記旋回プラットフォームの中心を通って移動するとき、前記旋回プラットフォームが前記進水バージの前記デッキに対して旋回し、前記浮体式風力タービンプラットフォームの、前記進水レールに沿い、前記デッキから離れ、前記水域内への動きを支援するように、前記浮体式風力タービンプラットフォームを前記進水レール上で前記水域に向かって、及び、前記旋回プラットフォームを越えて、スライドさせることを備える方法。
【請求項１８】
前記第５組立位置が、中に形成されたスリップを有するドックを含む、請求項１６に記載の、浮体式風力タービンプラットフォームを建設し、組み立てる方法であって、さらに、
前記浮体式風力タービンプラットフォームを前記第５組立位置内の前記レール上で前記スリップを越えた位置へ移動させることと、
進水バージを、前記スリップ内で、且つ、前記浮体式風力タービンプラットフォームの下に移動させることと、
前記進水バージが前記浮体式風力タービンプラットフォームを上昇させ、前記ドックから離し、それによって、前記浮体式風力タービンプラットフォームを前記進水バージ上に移すまで、前記進水バージからバラストを取り除くことと、
前記進水バージを前記水域内の進水エリアへ牽引することと、
前記進水バージの一端を下降させることと、
前記浮体式風力タービンプラットフォームを前記進水バージから離し、前記水域内へスライドさせることと、を備える方法。
【請求項１９】
前記進水バージのデッキが、前記進水バージのデッキ上に進水レールのシステムを含み、
旋回プラットフォームが、前記進水バージの前記デッキに載置され、前記進水バージの前記デッキに対して旋回するよう構成された、請求項１８に記載の、浮体式風力タービンプラットフォームを建設し、組み立てる方法であって、さらに、
前記浮体式風力タービンプラットフォームの重心が、前記旋回プラットフォームの中心を通って移動するとき、前記旋回プラットフォームが前記進水バージの前記デッキに対して旋回し、前記浮体式風力タービンプラットフォームの、前記進水レールに沿い、前記デッキから離れ、前記水域内への動きを支援するように、前記浮体式風力タービンプラットフォームを前記進水レール上で前記水域に向かって、及び、前記旋回プラットフォームを越えてスライドさせることを備える方法。
【請求項２０】
前記第５組立位置が、前記水域へ延在する２つのフィンガーピアを有するドックを含み、前記フィンガーピアが、当該フィンガーピア上にレールのシステムを含む、請求項１２に記載の、浮体式風力タービンプラットフォームを建設し、組み立てる方法であって、さらに、
前記浮体式風力タービンプラットフォームベースの一部は、前記水域の面の上の前記フィンガーピア上で支持され、前記浮体式風力タービンプラットフォームベースの一部は前記ドック上で支持されるように、前記浮体式風力タービンプラットフォームを前記第５組立位置内の前記レール上で、前記フィンガーピアの前記レール上に移動させることと、
前記フィンガーピアの間で、且つ、前記フィンガーピア上で支持された前記浮体式風力タービンプラットフォームの下に、半水没式の進水バージであって該半水没式の進水バージのデッキから外側に延在する複数の浮揚性安定カラムを有する前記半水没式の進水バージを移動させることと、
当該進水バージが前記浮体式風力タービンプラットフォームを上昇させ、前記フィンガーピア及び前記ドックから離れるまで、前記半水没式の進水バージからバラストを取り除き、それによって前記浮体式風力タービンプラットフォームを前記半水没式の進水バージ上へ移すことと、
前記半水没式の進水バージを前記水域内の進水区域へ牽引することと、
前記半水没式の進水バージを、前記浮体式風力タービンプラットフォームが自由に浮揚するまで、前記水域の面の下に沈めることと、
前記浮体式風力タービンプラットフォームを前記半水没式の進水バージから移動させることと、を備える方法。
【請求項２１】
前記第５組立位置が、前記水域内へ延在する進水ドックを有するドックを含み、前記進水ドックの第１端が、旋回可能に前記ドックに取り付けられ、前記進水ドックの第２端が前記ドックから前記水域内へ延在し、前記進水ドックが、上に進水レールのシステムを含む、請求項１２に記載の、浮体式風力タービンプラットフォームを建設し、組み立てる方法であって、さらに、
前記浮体式風力タービンプラットフォームが前記進水ドック上で完全に支持されるまで、前記浮体式風力タービンプラットフォームを前記第５組立位置内の前記レール上で、前記進水ドックの前記進水レール上に移動させることを含む方法で、さらに、
前記進水ドックの前記第２端を前記水域内へ下降させることと、
前記浮体式風力タービンプラットフォームを前記進水レール上で前記水域内へスライドさせることと、を備える方法。
【請求項２２】
前記進水ドックのデッキが、前記進水ドックのデッキに載置された旋回プラットフォームを含み、前記進水ドックの前記デッキに対して旋回するよう構成された、請求項２１に記載の、浮体式風力タービンプラットフォームを建設し、組み立てる方法であって、さらに、
前記浮体式風力タービンプラットフォームの重心が、前記旋回プラットフォームの中心を通って移動するとき、前記旋回プラットフォームが前記進水ドックの前記デッキに対して旋回し、前記浮体式風力タービンプラットフォームの、前記進水レールに沿い、前記デッキから離れ、前記水域内への動きを支援するように、前記浮体式風力タービンプラットフォームを前記進水レール上で、前記水域に向かって、及び、前記旋回プラットフォームを越えてスライドさせることを備える方法。
【発明の詳細な説明】
【技術分野】
【０００１】
関連出願の相互参照
本出願は、２０１５年２月２４日に出願された米国仮出願第６２／１２０，０８１号及び２０１５年４月１４日に出願された米国仮出願第６２／１４９，９４７号の利益を主張し、その開示は、参照により援用される。
【背景技術】
【０００２】
本発明は一般に、風力タービンプラットフォームに関する。本発明は特に、浮体式風力タービンプラットフォームを建設し、組み立て、水域へと進水させる、改善された方法に関する。
【０００３】
風力エネルギーを電力に変換するための風力タービンは既知であり、電力会社に代替エネルギー源を提供している。陸上では、風力タービンの数がしばしば数百基に達する大規模な風力タービン群が、１つの地理的区域にまとめて設置される場合がある。これらの大規模な風力タービン群は、望ましくないほど大きな騒音を生じさせることがあり、審美的に不快なものとしての様相を呈し得る。丘陵、森林及び建物などの障害物が原因で、これらの陸上を拠点とする風力タービンが最適な空気の流れを利用できない可能性がある。
【０００４】
また、風力タービン群は、洋上に、といっても海岸付近で風力タービンを海底上の基礎に固定的に取り付けることができる水深の場所に位置し得る。海洋上では、風力タービンへの空気の流れが様々な障害物（すなわち、丘陵、森林及び建物など）の存在によって妨げられる可能性は低く、結果的に平均風速は高くなり、電力はより大きくなる。これらの沿岸位置で海底に風力タービンを取り付けるために必要な基礎は、比較的高価であり、かつ約４５メートルまでの水深など比較的浅い水深でのみ達成可能である。
【０００５】
米国国立再生可能エネルギー研究所は、水深３０メートル以上の米国沿岸線沖での風力が、年間約３，２００ＴＷｈのエネルギー容量を有すると測定した。これは、米国の年間総エネルギー使用量である約３，５００ＴＷｈの約９０％に相当する。海上の風力源の大部分は、水深６０メートル超の距岸３７キロメートル〜９３キロメートルの間に存在する。かかる水深に風力タービン用の固定した基礎を設けることは、経済的観点から実現可能性が低い。この制約があるため、風力タービン用の浮体式プラットフォームが開発されてきた。既知の浮体式風力タービンプラットフォームは鋼鉄で形成され、海底油田及び海底ガス田産業によって開発された技術に基づいている。しかし、当技術分野においては、浮体式風力タービンプラットフォームを建設し、組み立て、進水させる方法を改善する必要性が残されている。
【発明の概要】
【０００６】
本発明は一般に、浮体式風力タービンプラットフォームと、浮体式風力タービンプラットフォーム上に載置される風力タービンを建設し、組み立て、進水させる方法に関する。特に、本発明は、例えば、ベース、トップビームの無いハル、トップビームを有するハル等の、風力タービンプラットフォームの少なくとも一部、又は上に風力タービンが載置された浮体式風力タービンプラットフォーム全体が陸上で建設され、組み立てられる場合の、浮体式風力タービンプラットフォームを建設し、組み立て、進水させる、改善された方法に関する。風力タービンプラットフォーム又は風力タービンプラットフォームの一部がさらに、レールシステム、ジャッキ及びスライドシステム、エアバッグのヘビーリフティングシステム、又は自己推進モジュラー輸送（ＳＰＭＴ）システムなどによって進水場所へ移動され、さらに進水バージ上又は進水ドック上に移動される。風力タービンプラットフォーム又は風力タービンプラットフォームの一部はさらに、進水バージ又は進水ドックから水域内へ配置され得る。
【０００７】
一実施形態では、浮体式風力タービンプラットフォームの建設及び組立方法は、浮体式風力タービンプラットフォームベースのプレストレストコンクリートセクションを建設するステップと、浮体式風力タービンプラットフォーム組立区域において浮体式風力タービンプラットフォームベースセクションを組み立て、第１位置でベースを形成するステップと、浮体式風力タービンプラットフォーム組立区域においてベースを第２位置へ移動させるステップと、を含む。浮体式風力タービンプラットフォームカラムのプレストレストコンクリートセクションが建設され、カラムセクションが組み立てられ、ベース上にセンターカラム及び複数のアウターカラムが形成され、浮体式風力タービンプラットフォーム組立区域の第２位置でハルを画定する。さらに、ハルが浮体式風力タービンプラットフォーム組立区域の第３位置に移動される。二次構造がハル上及びハル内に載置され、ハルが浮体式風力タービンプラットフォーム組立区域の第４位置へ移動される。風力タービンタワーは、センターカラム上に建設され、風力タービンは風力タービンタワー上に載置され、さらに、浮体式風力タービンプラットフォームを画定する。浮体式風力タービンプラットフォームはさらに、第５位置の進水プラットフォームに移動され、水域内へ進水する。
【０００８】
本発明の様々な態様は、添付図面に鑑みて読まれる時の、好ましい実施形態の以下の詳細な説明から、当業者に明らかになるだろう。
【図面の簡単な説明】
【０００９】
図１は、本発明の改善された方法によって建設され、組み立てられ、進水する、浮体式風力タービンプラットフォームの正面図である。
【００１０】
【図１】図１Ａは、垂直軸型風力タービンを示す、図１に図示した浮体式風力タービンプラットフォームの代替的な実施形態の一部の拡大正面図である。
【００１１】
【図２】図２は、図１に図示した、改善された浮体式風力タービンプラットフォームの斜視図である。
【００１２】
【図３】図３は、図１及び図２に図示した、改善された浮体式風力タービンプラットフォームの分解斜視図である。
【００１３】
【図４】図４は、図１及び図２に図示したハルの第２実施形態の斜視図である。
【００１４】
【図５】図５は、図４に図示したベースの斜視図である。
【００１５】
【図６】図６は、浮体式風力タービンプラットフォームを建設し、組み立て、進水させる、改善された方法の第１実施形態を示す、浮体式風力タービンプラットフォーム組立区域の平面図である。
【００１６】
【図７】図７は、本発明の改善された方法の一実施形態による、進水バージ上に示された、図１に図示した浮体式風力タービンプラットフォームの平面図である。
【００１７】
【図８】図８Ａは、図７に図示した進水バージ上で浮揚するハルの正面図を示す。
【００１８】
図８Ｂは、図８Ａに図示されたハルと進水バージの正面図であり、本発明の改善された方法にしたがって、ハルを進水させるために下降させた進水バージのスターンを示す。
【００１９】
【図９】図９Ａは、図７に図示した進水バージ上で浮揚する、タワーを取り付けたハルの正面図を示す。
【００２０】
図９Ｂは、図９Ａに図示したハルと、取り付けられたタワーと、進水バージの正面図であり、本発明の改善された方法にしたがって、ハルと取り付けられたタワーを進水させるために下降させた進水バージのスターンを示す。
【００２１】
【図１０】図１０Ａは、図７に図示した進水バージ上で浮揚する、図１に図示した浮体式風力タービンプラットフォームの正面図である。
【００２２】
図１０Ｂは、図１０Ａに図示した浮体式風力タービンプラットフォームの正面図であり、本発明の改善された方法にしたがって、浮体式風力タービンプラットフォームを進水させるために下降させた進水バージのスターンを示す。
【００２３】
【図１１】図１１は、図７に図示した、スリップ内に示された進水バージの平面図であり、本発明の改善された方法の別の実施形態にしたがって、スリップと進水バージを越えて配置された浮体式風力タービンプラットフォームを示す。
【００２４】
【図１２】図１２Ａから図１２Ｅは、連続する進水方法の平面図であり、本発明の改善された方法にしたがって、半没水式の進水バージ上に配置され、半没水式の進水バージから進水する、浮体式風力タービンプラットフォームを示す。
【００２５】
【図１３】図１３は、図７に図示した、進水バージから進水する浮体式風力タービンプラットフォームの正面図である。
【００２６】
【図１４】図１４は、浮体式風力タービンプラットフォーム組立区域の平面図であり、浮体式風力タービンプラットフォームを建設し、組み立て、進水する、改善された方法の第２実施形態を示す。
【００２７】
【図１５】図１５は、浮体式風力タービンプラットフォーム組立区域の平面図であり、浮体式風力タービンプラットフォームを建設し、組み立て、進水する、改善された方法の第３実施形態を示す。
【００２８】
【図１６】図１６は、浮体式風力タービンプラットフォーム組立区域の平面図であり、浮体式風力タービンプラットフォームを建設し、組み立て、進水する、改善された方法の第４実施形態を示す。
【００２９】
【図１７】図１７Ａ〜図１７Ｅは、本発明の改善された方法にしたがった、進水バージの代替の実施形態を図示する。
【００３０】
【図１８】図１８は、図１４に図示した、進水ドックから進水する浮体式風力タービンプラットフォームの正面図である。
【発明を実施するための形態】
【００３１】
これより、本発明の特定の実施形態を随時参照しながら、本発明を説明する。しかし、本発明は異なる形態で実施されてもよく、本明細書で明らかにされる実施形態に限定されると解釈されるべきではない。むしろ、これらの実施形態は、本開示がより完全かつ完璧となり、本発明の範囲を当業者に完全に伝えるように提供されている。
【００３２】
図面、特に図１を参照すると、水域ＢＷの底に係留された浮体式風力タービンシステム又はプラットフォーム１０の第１実施形態が示されている。浮体式風力タービンプラットフォームは、本発明の改善された方法に従って建設され、組み立てられた風力タービンプラットフォームの代表である。図示された実施形態では、海底Ｓに係留された浮体式風力タービンプラットフォーム１０が示されている。海底とは、浮体式風力タービンプラットフォーム１０を作動させることになる、いかなる水域の底にもなり得ることが理解されるだろう。 
【００３３】
図示された浮体式風力タービンプラットフォーム１０は、タワー１４を支持する基礎又はハル１２を具備し、詳細を以下に説明する。タワー１４は風力タービン１６を支持する。基礎は半没水型であり、水域内で半没水状に浮揚するよう構築され、構成されている。したがって、ハル１２が水中で浮揚しているとき、ハル１２の一部は水上にあることになる。示されているように、ハル１２の一部はまた、水位線ＷＬの下方にある。水位線ＷＬとは、本明細書で用いるとき、浮体式風力タービンプラットフォーム１０が水面と遭遇する近似線として定義される。係留索１８は浮体式風力タービンプラットフォーム１０に取り付けられ、また、海底Ｓにおいてアンカー２０などのアンカーに更に取り付けられ、水域上で浮体式風力タービンプラットフォーム１０の動きを制限し得る。 
【００３４】
詳しくは後述することになるが、図２において最良に示すように、図示されるハル１２は、キーストーン２４から放射状に外側に延在し浮力を与える、３つのボトムビーム２２で形成されている。ボトムビーム２２とキーストーン２４がまとめて組み立てられるときにベース２５を画定する。内側又はセンターカラム２６はキーストーン２４に載置され、３つのアウターカラム２８は、ボトムビーム２２の遠位端に、又は遠位端付近に載置されている。センターカラム２６及びアウターカラム２８は、外側に（図１及び図２をみると上側に）、且つ、ボトムビーム２２に垂直に延在し、また、浮揚性も与える。センターカラム２６及びアウターカラム２８の軸もまた、略平行である。さらに、センターカラム２６はタワー１４を支持する。支持部材又はトップビーム３０は、センターカラム２６から放射状に延在し、さらにセンターカラム２６に接続し、各アウターカラム２８にも接続する。タワー１４は、センターカラム２６に載置されている。
【００３５】
所望の場合、アクセスウェイ又はキャットウォーク３２が、各トップビーム３０に取り付けられ得る。各キャットウォーク３２は、タワー１４のベース全体又は一部のまわりに載置された接続キャットウォーク又はタワーアクセスプラットフォーム３２ａによって接続され得る。アクセスラダー３３は、センターカラム２６及びアウターカラム２８のうちの１つ又は複数に載置され得る。
【００３６】
本明細書に図示された実施形態では、風力タービン１６は、水平軸風力タービンである。あるいは、風力タービンは、図１Ａの１６’で示されるような垂直軸風力タービンであってもよい。風力タービン１６の大きさは、浮体式風力タービンプラットフォーム１０が係留されている場所での風況、及び所望の電力出力に基づいて変化することになる。例えば、風力タービン１６は約５ＭＷの出力を有してもよい。あるいは、風力タービン１６は約１ＭＷ〜約１０ＭＷの範囲内の出力を有してもよい。
【００３７】
風力タービン１６は、回転可能なハブ３４を具備する。少なくとも１つのロータブレード３６がハブ３４に結合され、ハブ３４から外側に延在する。ハブ３４は、発電機（図示せず）に回転可能に結合される。発電機は、トランス（図示せず）及び水中電力ケーブル２１を介して、図１に示すように、送電系統（図示せず）に結合され得る。図示された実施形態では、ロータは３つのロータブレード３６を有している。他の実施形態では、ロータは、３つよりも多いか又は３つよりも少ないロータブレード３６を有してもよい。ナセル３７は、ハブ３４に対向して風力タービン１６に取り付けられる。
【００３８】
図３に示すように、キーストーン２４は、上壁２４ａと、下壁２４ｃと、放射状に外側に延在する３つの脚部３８とを具備する。各脚部３８は、ボトムビーム２２が取り付けられることになる略垂直接続面を画定し、側壁３８ｃに対向する端壁３８ａを具備する。
【００３９】
図示された実施形態では、キーストーン２４は３つの脚部３８を具備する。あるいは、キーストーン２４は、４つ以上のボトムビーム２２を取り付けられるよう、４つ以上の脚部を具備してもよい。
【００４０】
図示されたキーストーン２４は、プレストレスト補強コンクリートで形成され、内部中央空洞（図示なし）を具備し得る。各脚部３８もまた、内部脚部空洞（図示なし）を具備し得る。キーストーン２４を製造するため、遠心力コンクリート処理や、従来のコンクリート型枠の使用、又はプレキャストコンクリート業で用いられるような半自動工程における再使用可能な型枠の使用など、任意の所望の処理を用いてもよい。キーストーン２４のコンクリートは、高抗張力スチールケーブル及び高抗張力異形棒又は異形鉄筋のような、任意の従来の補強部材で補強されてもよい。あるいは、キーストーン２４は、ＦＲＰ，鋼鉄、又は、プレストレスト補強コンクリート、ＦＲＰ、及び鋼鉄の組み合わせで形成されてもよい。
【００４１】
図３にも示されるように、各ボトムビーム２２は、キーストーン２４の脚部３８の端壁３８ａに接続されることになる上壁２２ａ、下壁２２ｃ、対向する側壁２２ｄ、及び第１端壁２２ｅと、半円筒の第２端壁２２ｆとを具備する。キーストーン２４のように、図示されたボトムビーム２２は、上述のようなプレストレスト補強コンクリートで形成される。あるいは、ボトムビーム２２は、ＦＲＰ、鋼鉄、又は、プレストレスト補強コンクリート、ＦＲＰ、及び鋼鉄の組み合わせで形成されてもよい。 
【００４２】
所望の場合、１つ又は複数の第１バラストチャンバ（図示なし）が各ボトムビーム２２内に形成され得る。また、１つ又は複数の第２バラストチャンバ４８が、各アウターカラム２８内に形成され得る。
【００４３】
図３を再度参照すると、センターカラム２６は、外面５６ａを有する円筒形の側壁５６、第１軸端５６ｂ、第２軸端壁５６ｃを具備し、中空の内部空間（図示なし）を画定する。同様に、アウターカラム２８は、外面６０ａを有する円筒形の側壁６０、第１軸端６０ｂ、及び第２軸端壁６０ｃを具備し、中空の内部空間（図示なし）を画定する。キーストーン２４及びボトムビーム２２のように、図示されたセンターカラム２６及びアウターカラム２８は、上述のようなプレストレスト補強コンクリートで形成される。あるいは、センターカラム２６及びアウターカラム２８は、ＦＲＰ、鋼鉄、又は、プレストレスト補強コンクリート、ＦＲＰ、及び鋼鉄の組み合わせで形成されてもよい。センターカラム２６及びアウターカラム２８は、以下に詳細を説明する通り、セクションで形成され得る。
【００４４】
図示された浮体式風力タービンプラットフォーム１０は、３つのボトムビーム２２と３つのアウターカラム２８を具備する。しかしながら、改善された浮体式風力タービンプラットフォーム１０は、４つ以上のボトムビーム２２及び４つ以上のアウターカラム２８で建設され得ることが理解されるだろう。
【００４５】
図３を参照すると、トップビーム３０は、略軸方向に負荷のかかる部材として構成され、センターカラム２６と各アウターカラム２８の上端の間を略水平方向に延在する。図示された実施形態では、トップビーム３０は、約４フィート（１．２メートル）の外径を有する筒状鋼鉄で形成されている。あるいは、トップビーム３０は、ＦＲＰ、プレストレスト補強コンクリート、又は、プレストレスト補強コンクリート、ＦＲＰ、及び鋼鉄の組み合わせで形成される。各トップビーム３０は、各端部に載置ブラケット３０ａを具備する。載置ブラケット３０ａは、センターカラム２６及び各アウターカラム２８上で、鋼板のような取付部材３０ｂに、ネジ部品などによって取り付けられるよう構成されている。
【００４６】
トップビーム３０はさらに、実質的にはタワー１４のベースの曲げモーメントに抵抗しないように設計及び構成され、曲げ応力がかからない。むしろ、トップビーム３０は、センターカラム２６とアウターカラム２８との間の引張力及び圧縮力を受け、印加する。 
【００４７】
図示されたトップビーム３０は、約３フィートから約４フィートの径を有する鉄鋼で形成され、補強コンクリートで形成された類似のビームよりも軽量で薄い。比較的軽量で薄いトップビーム３０、すなわち、軸方向に負荷のかかる部材を、浮体式風力タービンプラットフォーム１０の上部分に使用することにより、より相対重量の分配が、その分配をもっとも必要とする浮体式風力タービンプラットフォーム１０のプラットフォーム構成の底において、可能となる。軽量化は有意となり得る。例えば、約８００，０００ポンドの重さのコンクリート材を、約７０，０００ポンドの重さの鋼鉄ビームと取り替えることができ、したがって、材料費及び建設費も有利に削減できる。
【００４８】
図示された実施形態では、タワー１４は中空の内部空間１４ｂを画定する外壁１４ａを有する筒状であり、任意の好適な外径及び高さを有し得る。図示された実施形態では、タワー１４の外径は、そのベースでの第１径から、その上端での第２の、より小さい径にテーパ状になっている。図示されたタワー１４は、繊維強化ポリマ（ＦＲＰ）複合材料で形成されている。他の好適な複合材料の非限定的な例には、ガラス及びカーボンＦＲＰが含まれる。また、タワーは、複合積層材で形成されてもよい。あるいは、タワー１４は、以下に詳細に説明するハル１２と同じ方法で、コンクリート又は鋼鉄で形成されてもよい。タワー１４は、任意の数のセクション１４ｃで形成され得る。 
【００４９】
有利には、上述のように複合材料で形成されたタワー１４は、従来の鋼鉄のタワーに比べ、水位線ＷＬの上方での質量が低減することになる。ＦＲＰの複合物タワー１４は質量が低減しているため、浮体式風力タービンプラットフォーム１０の安定性を維持するために水位線ＷＬの下方で必要な、いかなるバラストをも具備する、ハル１２の質量もまた低減され得る。これにより、風力発電装置の総費用が低減されることになる。
【００５０】
ハルの第２実施形態が、図４において７０で示されている。図４に示されるように、ハル７０はベース７２を具備し、また、図５に示されるように、キーストーン７６から放射状に外側に延在する、浮揚性の３つのボトムビーム７４を備える。センターカラム７８はキーストーン７６に載置され、３つのアウターカラム８０はボトムビーム７４の遠位端に又は遠位端に近くに載置される。浮揚性の３つのボトムビーム７４が図４に示されているが、ハル７０が３つより多い浮揚性のボトムビーム７４を具備してもよいことが理解されるだろう。
【００５１】
以下に詳細に説明される通り、ボトムビーム７４は、複数のビームセクション８２及びカラムベースセクション８４で形成され得、その複数のビームセクション８２及びカラムベースセクション８４上にアウターカラム８０が載置される。ボトムビーム７４は、図４に図示される６つのビームセクション８２や、６つより少ないビームセクション８２、又は６つより多いビームセクション８２といった、任意の所望の数のビームセクション８２で形成され得る。所望の場合、キーストーン７６もまた、任意の所望の数のセクション（図示なし）で形成され得る。
【００５２】
以下にも詳細が説明されている通り、センターカラム７８及びアウターカラム８０は、複数のカラムセクション８６で同様に形成され得る。センターカラム７８及びアウターカラム８０は、図４に図示される６つのカラムセクション８６や、６つより少ないカラムセクション８６、又は６つより多いカラムセクション８６といったように、任意の所望の数のカラムセクション８６で形成され得る。センターカラム７８は、アウターカラム８０を形成するカラムセクション８６とは大きさが異なるカラムセクション８６で形成されてもよいことが理解されるだろう。
【００５３】
浮体式風力タービンプラットフォーム１０の大きさと寸法は、上に載置される風力タービン１６の大きさによって決定され得る。例えば、図５において最良に示すように、６ＭＷの風力タービン１６については、脚部の長さＬ又はベース７２の翼は、キーストーン７６の中心からボトムビーム７４の遠位端までを測ると、約１４０フィートから１６０フィートあり、完全に組み立てられた浮体式風力タービンプラットフォーム１０は、７，２００トン以上の重量になり得る。
【００５４】
次に図６を参照すると、浮体式風力タービンプラットフォーム１０のような、浮体式風力タービンプラットフォームを建設し、組み立て、進水させる方法の第１実施形態がＭ１に示されている。図６に示されるように、浮体式風力タービンプラットフォーム１０の建設及び組立は、海岸線ＳＬを有する、水域ＢＷ近くの陸上で、建設及び組立区域Ａ１において行われる。
【００５５】
建設及び組立区域Ａ１は、ベース７２、ハル７０、及び／又は完成した浮体式風力タービンプラットフォーム１０を、建設及び組立区域Ａ１を通り海岸線ＳＬまで移動させる方法を含む。組立区域Ａ１内で、海岸線ＳＬがドックＤにより画定され得る。図６に図示された実施形態では、ベース７２、ハル７０、及び／又は完成した浮体式風力タービンプラットフォーム１０は、９６で模式的に図示された、長手方向に延在するレールのシステム上で移動するよう構成されたプラットフォーム（図示なし）上で形成される。あるいは、ベース７２、ハル７０、及び／又は完成した浮体式風力タービンプラットフォーム１０を移動させる方法には、ジャッキ及びスライドシステム、又は大型で重量のある物体を動かすその他の任意の方法が含まれ得る。
【００５６】
フィンガーピア９８は、海岸線ＳＬから外側に延在する。レール９６は、フィンガーピア９８上に、海岸線ＳＬからフィンガーピア９８の遠位端へ延在する。
【００５７】
図６に示される通り、浮体式風力タービンプラットフォーム１０は、組立ラインの方法で建設され、組み立てられ得る。方法Ｍ１の第１ステップＳ１では、ベース７２の部品のプレストレスト補強コンクリートセクションは、第１位置で形成され得る。例えば、プレストレスト補強コンクリートキーストーン７６は、キーストーン組立ライン区域８８で形成され得る。プレストレスト補強コンクリートビームセクション８２は、ビームセクション組立ライン区域９０で形成され得、プレストレスト補強コンクリートカラムベースセクション８４は、カラムベースセクション組立ライン区域９１で形成され得る。組立ライン区域８８、９０、及び９１の数及び組立ライン区域８８、９０、及び９１の大きさや能力は、例えば、１週間に浮体式風力タービンプラットフォーム１０を１つ生産する、といった、所望の生産速度を基に決定されることになる。
【００５８】
組立ライン区域８８、９０、及び９１は、鉄筋組立ライン（図示なし）及びキーストーン７６、コンクリートビームセクション８２、及びコンクリートカラムベースセクション８４を形成するためのコンクリート型（図示なし）を具備し得る。あるいは、鉄筋組立区域は、組立ライン区域８８、９０、及び９１から離れて配置されてもよい。
【００５９】
形成及び硬化したら、ビームセクション８２とカラムベースセクション８４が組み立てられ、ボトムビーム７４を形成することができる。さらに、キーストーン７６とボトムビーム７４が組み立てられ、長手方向にポストテンションされ、ベース７２を画定し得る。キーストーン７６とボトムビーム７４は、任意の所望のポストテンション方法によってポストテンションされてもよく、したがって、キーストーン７６とボトムビーム７４との間に圧縮力がかかる。あるいは、ボトムビーム７４は、一部を鋳造し、ボトムビーム７４全体が形成されるまで型（図示なし）を徐々に前方に動かす、といったことによって、現場で鋳造され得る。この代替方法は、ボトムビームセクション８２間の継手をなくし、部品、すなわち、取り扱うボトムビームセクション８２の数を最小限にするだろう。ベース７２はさらに、レール９６上で、方法Ｍ１の第２ステップＳ２が実施され得る第２位置へ移動させることができる。
【００６０】
方法Ｍ１の第２ステップＳ２では、プレストレスト補強コンクリートカラムセクション８６は、カラムセクション組立ライン区域９２で形成され得る。組立ライン区域９２の数、及び、組立ライン区域９２の大きさと能力は、例えば、１週間に浮体式風力タービンプラットフォーム１０を１つ生産する、といった、所望の生産速度を基に決定されることになる。
【００６１】
組立ライン区域９２は、鉄筋組立ライン（図示なし）及びカラムセクション８６を形成するためのコンクリート型（図示なし）を具備し得る。あるいは、鉄筋組立区域は、組立ライン区域９２から離れて配置されてもよい。
【００６２】
形成及び硬化したら、カラムセクション８６は、キーストーン７６及び各ボトムビーム７４のカラムベースセクション８４上に組み立てられ、センターカラム７８及びアウターカラム８０をそれぞれ形成し得る。センターカラム７８及びアウターカラム８０のカラムセクション８６は、クレーン９４などで組み立てられ、上述の通りポストテンションされ、ハル７０を画定し得る。例えば、センターカラム７８は、キーストーン７６上に長手方向軸に沿ってポストテンションされ得、アウターカラム８０は、ボトムビーム７４のカラムベースセクション８４上のそれらの長手方向軸に沿ってポストテンションされ得る。所望の場合、センターカラム７８とアウターカラム８０をまとめてポストテンションする前に、センターカラム７８及びアウターカラム８０のセクション８６の間に接着剤を塗布してもよい。ハル７０をポストテンションするステップは、例えば１週間に浮体式風力タービンプラットフォーム１０を１つ生産する、といった所望の生産速度を確保するため、任意の所望の作業者数又は作業者チーム数で達成され得ることが理解されるだろう。ハル７０はさらに、レール９６上で、方法Ｍ１の第３ステップＳ３が実施され得る第３位置へ移動され得る。
【００６３】
方法Ｍ１の第３ステップＳ３では、キャットウォーク３２と、タワーアクセスプラットフォーム３２ａと、ラダー３３とを具備し得るトップビーム３０のような二次構造と、ハル機電システム（図示なし）が、クレーン９４などで、ハル７０上及びハル７０内に載置され得る。さらに、ハル７０は、レール９６上で、方法Ｍ１の第４ステップＳ４が実施され得る第４位置へ移動され得る。
【００６４】
方法Ｍ１の第４ステップＳ４では、タワー１４の部品が、クレーン９４などで建設され、及び／又は、ハル７０に組み立てられ、風力タービン１６もまた、クレーン９４などでタワー１４上に設置され、さらに浮体式風力タービンプラットフォーム１０の建設及び組立を完了させる。タワー１４は、上述の通り、任意の所望の材料のタワーセクション１４ｃで形成され得る。一旦センターカラム７８上に組み立てられると、タワー１４は上述の通りポストテンションされ得る。 
【００６５】
ハブ３４とナセル３８とブレード３６とを具備する、風力タービン１６の部品は、第４位置に配置され、組立が容易となり得る。浮体式風力タービンプラットフォーム１０はさらに、レール９６上で、方法Ｍ１の第５ステップＳ５が実施され得る第５位置へ移動され得る。
【００６６】
方法Ｍ１の第５ステップＳ５では、浮体式風力タービンプラットフォーム１０は、ボトムビーム７４のうちの２つの遠位端がフィンガーピア９８の遠位端へ移動され、水域ＢＷ面の上のフィンガーピア９８上で支持され、第３ボトムビーム７４の遠位端の一部がドックＤ上で支持された状態となるよう、レール９６上でフィンガーピア９８上に移動される。あるいは、アウターカラム８０の下の第３ボトムビーム７４の大部分が、ドックＤ上で支持されてもよい。浮体式風力タービンプラットフォーム１０はさらに、進水プラットフォーム上に配置され、２つの進水方法のうちの１つによって水域ＢＷ内へ進水され得る。
【００６７】
第１進水方法では、進水プラットフォームは、フィンガーピア９８間と浮体式風力タービンプラットフォーム１０の下を移動し得る進水バージ１００である。進水バージ１００は、スターン１００ａと、バウ１００ｂと、上向きデッキ１０２とを具備する。進水バージ１００は、図６及び図７に図示されている。図７では、浮体式風力タービンプラットフォーム１０が示されており、わかりやすくするため、タワー１４及び風力タービン１６は除かれている。進水バージ１００内のバラストは、進水バージ１００の上向きデッキ１０２が、はじめは浮体式風力タービンプラットフォーム１０の下にあり、浮体式風力タービンプラットフォーム１０とは接触しないように構成されることになる。一旦浮体式風力タービンプラットフォーム１０の下に配置されると、図６に示すように、バラストが進水バージ１００から十分取り除かれ、進水バージ１００によって浮体式風力タービンプラットフォーム１０を上昇させ、フィンガーピア９８及びドックＤから離れるまで、進水バージ１００を水域ＢＷの中で上昇させ、それによって浮体式風力タービンプラットフォーム１０を進水バージ１００上へ移す。進水バージ１００はさらに、水域ＢＷ内の進水区域まで牽引され得る。進水バージ１００内のバラストは、進水バージ１００内で横方向又は縦方向に移動し、デッキ１０２上での浮体式風力タービンプラットフォーム１０の偏心配置を補償し得ることが理解されるだろう。
【００６８】
あるいは、進水バージ１００は、ベース７２、ハル７０、又は浮体式風力タービンプラットフォーム１０の任意のその他の部分を進水させるのに使用され得る。ベース７２、ハル７０、又は浮体式風力タービンプラットフォーム１０の一部を、浮体式風力タービンプラットフォーム１０の完成前に進水させるとき、ベース７２、ハル７０、又は浮体式風力タービンプラットフォーム１０の一部を、ドックＤ、海岸線ＳＬ、ピア、又はその他の構造に隣接する水域ＢＷで浮揚させつつ、残りの部品を組み立ててもよい。
【００６９】
進水バージの大きさと寸法は、進水させる浮体式風力タービンプラットフォーム１０のサイズによって決定され得る。例えば、図７において最良に示すように、６ＭＷの風力タービン１６を載置するよう構成された浮体式風力タービンプラットフォーム１０については、進水バージは、約３００フィートから約４００フィートまでの範囲内の長さＬ１と、約９０フィートから約１１０フィートまでの範囲内の幅Ｗ１とを有し得る。風力タービン１６の大きさが変わると、ハル７０の大きさも変わり、その結果、進水バージ（複数の場合も）大きさ及び寸法も変わり得ることが理解されるだろう。
【００７０】
さらに図７に示すように、進水バージ１００は、長手方向に延在する進水レール１０４を、進水レール１０４のデッキ１０２上に具備し得る。進水バージ１００はまた、１０６で模式的に示される、ロッカーアーム又は旋回プラットフォームを、ロッカーアーム又は旋回プラットフォームのスターン１００ａに具備し得る。
【００７１】
一旦水域ＢＷ内の進水区域に牽引されると、浮体式風力タービンプラットフォーム１０（図７ではタワー１４及び風力タービン１６を除いて示される）はさらに、水中へスライドさせるか、そうでなければ、１つ又は複数のウィンチ（図示なし）又は１つ又は複数のタグボート（図示なし）を使用して移動させることができる。浮体式風力タービンプラットフォーム１０はまた、浮体式風力タービンプラットフォーム１０が浮揚するまで、進水バージ１００からバラストを取り除く等、進水バージ１００のスターン１００ａを下降させることによって進水し得る。スターン１００ａが下がると、浮体式風力タービンプラットフォーム１０は、スターン１００ａに向かって進水レール１０４上を移動し得る。浮体式風力タービンプラットフォーム１０の重心が、旋回プラットフォーム１０６の中心を通って移動するとき、旋回プラットフォーム１０６は、図１３に模式的に図示されるように、進水バージ１００のデッキ１０２に対して旋回することになり、したがって、浮体式風力タービンプラットフォーム１０の前進及び下降運動を支援することになり、浮体式風力タービンプラットフォーム１０がデッキ１０２から離れ、水域ＢＷの中へと移動する。
【００７２】
図８Ａは進水バージ１００上で、水域ＢＷ内に浮揚するハル７０を図示している。図８Ｂは、スターン１００ａが下降し、ハル７０が水中にスライドし始めた後の推進バージ１００を図示する。図９Ａは、進水バージ１００上で水域ＢＷ内を浮揚する、上にタワー１４が取り付けられたハル７０を図示する。図９Ｂは、スターン１００ａが下降し、タワー１４が取り付けられたハル７０が水中にスライドし始めた後の進水バージ１００を図示している。同様に、図１０Ａは、進水バージ１００上の水域ＢＷ内で浮揚する、完成した浮体式風力タービンプラットフォーム１０を図示している。図１０Ｂは、スターン１００ａが下降し、浮体式風力タービンプラットフォーム１０が水中にスライドし始めた後の進水バージ１００を図示している。
【００７３】
次に図１１を参照すると、浮体式風力タービンプラットフォーム１０の下に進水バージ１００を配置する代替方法が示されている。図１１に示すように、ドックＤは、進水バージ１００が中に配置するよう構成されたスリップ１０８を具備する。この方法では、ボトムビーム７４のうちの２つの遠位端がドックＤの縁部に移動し、ドックＤ上で支持され、第３ボトムビーム７４の遠位端の一部がスリップ１０８の端壁１１０でドックＤ上に支持されたままの状態となるよう、浮体式風力タービンプラットフォーム１０はレール９６上を、ドックＤ上に、スリップ１０８を越えて移動する。あるいは、アウターカラム８０下の第３ボトムビーム７４の大部分が、スリップ１０８の端壁１１０でドックＤ上に支持されてもよい。さらに、浮体式風力タービンプラットフォーム１０は、上述の通り、進水バージ１００上に移され、進水バージ１００によって水域ＢＷ内へ進水させてもよい。
【００７４】
第２進水方法では、進水プラットフォームは半没水式の進水バージ１２０である。図１２Ｂ及び図１２Ｃに示すように、半没水式の進水バージ１２０は、進水バージ１００と同様のサイズとなり得、スターン１２０ａと、バウ１２０ｂと、上向きのデッキ１２２とを具備する。半没水式の進水バージ１２０は、半没水式の進水バージ１２０の４つの角でデッキ１２２から外側に延在する浮揚性スターン安定カラム１２４ａと、浮揚性バウ安定カラム１２４ｂとを具備する。バウ１２０ｂのバウ安定カラム１２４ｂは、半没水式の進水バージ１２０に取り外し可能に載置される。スターン１２０ａの安定カラム１２４ａもまた、半没水式の進水バージ１２０に取り外し可能に載置されるか、又は進水バージ１２０に永久載置される。
【００７５】
上述の通り、ボトムビーム７４のうちの２つの遠位端がフィンガーピア９８の遠位端へ移動し、水域ＢＷ面上のフィンガーピア９８上で支持され、第３ボトムビーム７４の遠位端の一部はドックＤ上で支持されたままの状態となるよう、浮体式風力タービンプラットフォーム１０がレール９６上（図１２Ａ及び図１２Ｂには図示なし）及びフィンガーピア９８上に移動し得る。あるいは、アウターカラム８０下の第３ボトムビーム７４の大部分がドックＤ上で支持されてもよい。
【００７６】
第２進水方法では、半没水式の進水バージ１２０はフィンガーピア９８間、又は上述のスリップ１０８内及び浮体式風力タービンプラットフォーム１０の下を移動し得る。半没水式の進水バージ１２０内のバラストは、半没水式の進水バージ１２０の上向きデッキ１２２が、はじめは浮体式風力タービンプラットフォーム１０の下にあり、浮体式風力タービンプラットフォーム１０とは接触しないように構成されることになる。図１２Ａに示すように、一旦浮体式風力タービンプラットフォーム１０の下に配置されると、図１２Ｂに示すように、安定カラム１２４ｂが、バウ１２０ｂの角に載置され得る。バラストが半没水式の進水バージ１２０から十分取り除かれ、半没水式の進水バージ１２０によって浮体式風力タービンプラットフォーム１０を上昇させ、フィンガーピア９８及びドックＤから離れるまで、半没水式の進水バージ１２０を水域ＢＷの中で上昇させ、それによって浮体式風力タービンプラットフォーム１０を半没水式の進水バージ１２０上へ移す。半没水式の進水バージ１２０はさらに、図１２Ｃに示すように、水域ＢＷ内の進水区域へ牽引され得る。半没水式の進水バージ１２０内のバラストは、半没水式の進水バージ１２０内で横方向又は縦方向に移動し、デッキ１２２上の浮体式風力タービンプラットフォーム１０の偏心配置を補償し得ることが理解されるだろう。
【００７７】
一旦水域ＢＷ内の進水区域に牽引されると、半没水式の進水バージ１２０が完全に水中に沈み、４つの浮揚性安定カラム１２４ａ及び１２４ｂが水面上に留まり、さらに、図１２Ｄに示すように、水域ＢＷ内で浮体式風力タービンプラットフォーム１０が自由に浮揚できるようになるまで、半没水式の進水バージ１２０内のバラストが取り除かれ得る。図１２Ｅに示されるように、浮体式風力タービンプラットフォーム１０はさらに、半没水式の進水バージ１２０から、風力タービンファームのような、浮体式風力タービンプラットフォーム１０及び取り付けた風力タービン１６が作動することになる位置まで牽引され得る。半没水式の進水バージ１２０はさらに、今後の使用のため、引き揚げられ、取り戻され得る。
【００７８】
次に図１４を参照すると、浮体式風力タービンプラットフォーム１０のような、浮体式風力タービンプラットフォームを建設し、組み立て、進水させる方法の第２実施形態が、Ｍ２で示されている。
【００７９】
図１４に示すように、浮体式風力タービンプラットフォーム１０の少なくとも一部分の建設及び組立は、海岸線ＳＬを有する水域ＢＷ近くの陸上の、１つ又は複数の建設及び組立区域Ａ２内で行われる。
【００８０】
建設及び組立区域Ａ２は、ベース７２、ハル７０、及び／又は完成した浮体式風力タービンプラットフォーム１０を、建設及び組立区域Ａ２を通り、海岸線ＳＬまで移動させる方法を含む。組立区域Ａ２内では、海岸線ＳＬがドックＤによって画定され得る。図１４に図示される実施形態では、ベース７２は、１２８で模式的に図示される、長手方向に延在するレールのシステム上で移動するよう構成されたプラットフォーム（図示なし）上で形成される。レール１２８は、海岸線ＳＬ又はドックＤの縁部に、略平行に延在する。図１４は組立区域Ａ２で建設され、組み立てられるベース７２を図示しているが、浮体式風力タービンプラットフォームを建設し、組み立て、進水させる方法Ｍ２の第２実施形態は、ハル７０及び／又は完成した浮体式風力タービンプラットフォーム１０を建設し、組み立てるのに使用されてもよい。あるいは、ベース７２、ハル７０、及び／又は完成した浮体式風力タービンプラットフォーム１０の移動方法には、ジャッキ及びスライドシステム、又は、大型で重量のある物体を移動させる、任意のその他の方法を含み得る。
【００８１】
長手方向に延在するレールの第２システムが１３０で模式的に図示されている。レール１３０は、レール１２８及び海岸線ＳＬに略垂直に延在し、水域ＢＷ内へ推進させるよう、レール１２８から海岸線ＳＬまでのベース７２の移動を可能にする。
【００８２】
方法Ｍ２の第２実施形態では、進水プラットフォームは、ドックＤに取り付けられた進水ドック１３２である。図１８に模式的に図示されるように、進水ドック１３２は、第１端１３２ａと、第２端１３２ｂと、上向きのデッキ１３４とを具備する。第１端１３２ａは、旋回機構１３６によってドックＤに旋回可能に取り付けられ得る。第２端１３２ｂは、移動可能なパイロン１３８によって水中で支持され得る。１つ又は複数の旋回プラットフォーム１４０はデッキ１３４に載置され得る。進水レール１４２はデッキ１３４に取り付けられ、ベース７２が、ドックＤ上のレール１３０から進水ドック１３２上へと移動しやすくする。
【００８３】
ベース７２は、本明細書で説明されている方法のうち、いずれかを使用して建設され得る。図６に示す方法Ｍ１と同様の方法では、浮体式風力タービンプラットフォーム１０は、組立区域Ａ２のうちの１つ又は複数で、組立ライン方法で建設及び組み立てられ得る。一旦完成したら、ベース７２はさらに、レール１２８上で、レール１２８がレール１３０と交差する伝達エリアＴ１へ移動され得る。ベース７２はさらに、レール１３０及び１４２上で進水ドック１３２上に移動され得る。
【００８４】
方法Ｍ２の第２ステップでは、ベース７２は水域ＢＷ内に進水し得る。図１８に示すように、ベース７２、又は浮体式風力タービンプラットフォーム１０を進水させるため、油圧ジャッキのシステムなどによってパイロン１３８を下降させ、進水ドック１３２の 第２端１３２ｂを水の中へと下降させることができる。あるいは、進水ドック１３２は浮揚性のドックでもよい。パイロン１３８ではなく、バラストを取り除いて進水ドック１３２の第２端１３２ｂを下降させるか、もしくは、バラストを進水ドック１３２に追加して進水ドック１３２の第２端１３２ｂを上昇させてもよい。
【００８５】
第２端１３２ｂが下降すると、図１８に図示するように、ベース７２又は浮体式風力タービンプラットフォーム１０は、進水レール１４２上を第２端１３２ｂに向かって移動し得る。ベース７２の重心が、旋回プラットフォーム１４０のうちの１つの中心を通って移動するとき、旋回プラットフォーム１４０は、進水ドック１３２のデッキ１３４に対して旋回し、進水ドック１３２の傾斜面の前進及び下降運動を支援することになり、したがって、ベース７２が進水レール１４２に沿い、デッキ１３４から離れ、水域ＢＷの中へと移動する、前進及び下降運動を支援することになる。
【００８６】
あるいは、進水ドック１３２の代わりに、方法Ｍ２は、上述の進水バージ１００又は半没水式の進水バージ１２０を含み得る。
【００８７】
浮体式風力タービンプラットフォーム１０の完成前に、ベース７２、ハル７０、又は浮体式風力タービンプラットフォーム１０の一部分を方法Ｍ２に従って進水させるのとき、ベース７２、ハル７０、又は浮体式風力タービンプラットフォーム１０の一部を、ドックＤ、海岸線ＳＬ、ピア、又はその他の構造に隣接する水域ＢＷで浮揚させつつ、残りの部品を組み立てることができる。
【００８８】
次に図１５を参照すると、浮体式風力タービンプラットフォーム１０、又は浮体式風力タービンプラットフォーム１０の一部分を建設し、組み立て、進水させる方法の第３実施形態がＭ３に示されている。
【００８９】
図１５に示すように、ボトムビーム７４及び翼７５の建設及び組立は、海岸線ＳＬを有する水域ＢＷ近くの陸上の、１つ又は複数の建設及び組立区域Ａ３で行われる。本明細書で使用されるように、翼７５は、キーストーン７６を取り付けたボトムビーム７４として画定されている。 
【００９０】
建設及び組立区域Ａ３は、任意の所望の位置に配置することができ、建設及び組立区域Ａ３から、及び、建設及び組立区域Ａ３を通り、海岸線ＳＬまでボトムビーム７４及び翼７５を移動させる方法に関する。図１５に示すように、海岸線ＳＬはドックＤによって画定され得る。ボトムビーム７４及び翼７５は、１４２で模式的に図示される、長手方向に延在するレールのシステム上を移動するよう構成されたプラットフォーム（図示なし）上で組み立てられ得る。レール１４２は、海岸線ＳＬ又はドックＤの縁部に略平行に延在する。あるいは、ボトムビーム７４及び翼７５の移動方法には、ジャッキ及びスライドシステム、エアバッグのヘビーリフティングシステム、又は自己推進モジュラー輸送（ＳＰＭＴ）システム、もしくは大型で重量のある物体を移動させる任意のその他の方法が含まれ得る。
【００９１】
長手方向に延在するレールの第２システムが、１４４で模式的に図示されている。レール１４４はレール１４２及び海岸線ＳＬに略垂直に延在し、水域ＢＷ内へ進水できるよう、ボトムビーム７４及び翼７５がレール１４２から海岸線ＳＬまで移動できる。
【００９２】
ドックＤは、進水バージ１４８及び１５０を中に配置させるよう構成された、スリップ１４６を具備する。図１５に示すように、進水バージ１４８は、翼７５を受け、浮揚させ、進水させるよう構成され、進水バージ１５０は、ボトムビーム７４を受け、浮揚させ、進水させるよう構成されている。進水レール１５２は、進水バージ１４８及び１５０の、デッキ１５４及び１５６にそれぞれ取り付けられ、ボトムビーム７４及び翼７５がドック上のレール１４４から進水バージ１４８及び１５０上まで移動しやすくする。
【００９３】
本明細書で説明されている方法のうち、いずれかを使用して、ボトムビーム７４及び翼７５は、組立区域Ａ３で建設され得る。一旦完成すると、ボトムビーム７４及び翼７５はさらに、レール１４２上で、レール１４２がレール１４４に交差する伝達エリアＴ２まで移動することができる。ボトムビーム７４及び翼７５はさらに、レール１４４及び１５２上で、進水バージ１４８及び１５０に移動し得る。ボトムビーム７４及び翼７５はさらに、上述のように、水域ＢＷ内に進水し得る。
【００９４】
ボトムビーム７４及び翼７５は、任意の順序で進水バージ１４８及び１５０上に移動され得るが、図１７Ｄに示すように、進水バージ１４８上に移動する１つの翼７５に対して、２つのボトムビーム７４が進水バージ１５０上に移動するのが好ましい。
【００９５】
あるいは、図１７Ｃに示すように、３つのボトムビーム７４が、３つの進水バージ１６４上で建設され、組み立てられ、進水してもよい。方法Ｍ３のこの代替の実施形態では、図１７Ｃに示すように、キーストーン７６がボトムビーム７４及び翼７５と同じ方法で、組立区域Ａ３又は隣接する組立区域で建設及び組み立てられ、進水バージ１６６に移動され得る。
【００９６】
ボトムビーム７４及び翼７５は、ボトムビーム７４及び翼７５が自由に浮揚するまで、上述の通り、進水バージ１５０及び１４８から進水し得る。さらに、１つの翼７５及び２つのボトムビーム７４をまとめてベース７２を画定し、水域ＢＷ内で、ドックＤ、海岸線ＳＬ、ピア、又はその他の、浮体式風力タービンプラットフォーム１０の残り部分が組み立てられ得る構造に隣接する、浮体式組立区域まで移動させることができる。
【００９７】
所望の場合、ボトムビーム７４及び翼７５を進水させるのに使用されるバージは、上述した、半没水式の進水バージ１２０と同様に構成されてもよい。あるいは、進水バージ１４８及び１５０の代わりに、方法Ｍ３は、上述の、進水ドック１３２と同様に構成された進水ドックを具備してもよい。
【００９８】
次に図１７Ａ〜１７Ｅを参照すると、ベース７２、ハル７０、浮体式風力タービンプラットフォーム１０の部分の様々な組み合わせが、陸上の組立区域内で建設及び組み立てられ、その構造が進水するよう構成された半水没式の進水バージ上で水域ＢＷ内に進水し得る。例えば、図１７Ａに示すように、６ＭＷ風力タービン１６を載置するよう構成されたベース７２、ハル７０、及び完成した浮体式風力タービンプラットフォーム１０については、半水没式進水バージ１６０の一実施形態は、約２５０フィートから約２７０フィートの範囲内の長さＬ２と、約２７０フィートから約２９０フィートの範囲内の幅Ｗ２を有し得る。あるいは、図１７Ｂに示すように、半水没式進水バージ１６２の別の実施形態は、約１５５フィートから約１７５フィートの範囲内の長さＬ３と、約１４０フィートから約１６０フィートの範囲内の幅Ｗ３を有し得る。
【００９９】
同様に、図１７Ｄに示すように、進水バージ１５０は、約１１０フィートから約１３０フィートの範囲内の長さＬ４と、約６５フィートから約７５フィートの範囲内の幅Ｗ４を有し得、進水バージ１４８は、約１６５フィートから約１８５フィートの範囲内の長さＬ５と、約６５フィートから約８５フィートの範囲内の幅Ｗ５を有し得る。
【０１００】
あるいは、図１７Ｃに示すように、３つのボトムビーム７４は、３つの進水バージ１６４上で建設され、組み立てられ、進水し得る。方法Ｍ３のこの代替実施形態では、キーストーン７６は、図１７Ｃに示すように、ボトムビーム７４及び翼７５と同じ方法で、組立区域Ａ３又は隣接する組立区域で建設及び組み立てられ、進水バージ１６６に移動され得る。進水バージ１６４は、約１２５フィートから約１４５フィートの範囲内の長さＬ６と、約６０フィートから約８０フィートの範囲内の幅Ｗ６を有し得、進水バージ１６６は、任意の所望の形状と大きさを有し得る。図１７Ｃでは、進水バージ１６６は、略六角形である。あるいは、進水バージ１６６は、略矩形を含む、任意のその他の所望の形状を有してもよい。
【０１０１】
方法Ｍ３の一追加実施形態では、２つのボトムビーム７４及びキーストーン７６は、図１７Ｅに示すように、建設及び組み立てられてベースサブアセンブリ１６８を画定し得る。ベースサブアセンブリ１６８は、図１７Ｅにも示されるように、ボトムビーム７４及び翼７５と同じ方法で、組立区域Ａ３又は隣接する組立区域にて建設及び組み立てられ、進水バージ１７０へ移動され得る。第３ボトムビーム７４は、上述の通り進水バージ１６４上で建設され、組み立てられ、進水し得る。進水バージ１７０は、約１００フィートから約１２０フィートの範囲内の長さＬ７と、約２７０フィートから約２９０フィートの範囲内の幅Ｗ７を有し得る。
【０１０２】
次に図１６を参照すると、浮体式風力タービンプラットフォーム１０のような、浮体式風力タービンプラットフォームを建設し、組み立て、進水させる方法の第４実施形態がＭ４に示されている。
【０１０３】
図１６に示すように、浮体式風力タービンプラットフォーム１０の建設及び組立は、海岸線ＳＬを有する水域ＢＷ近くの陸上で、１つ又は複数の建設及び組立区域Ａ４において行われる。 
【０１０４】
建設及び組立区域Ａ４は、ベース７２、ハル７０、及び／又は完成した浮体式風力タービンプラットフォーム１０を、建設及び組立区域Ａ４を通り海岸線ＳＬへ移動させる方法を含む。ドックＤは、海岸線ＳＬで建設され、水域ＢＷ内へ延在し得る。あるいは、海岸線ＳＬはドックＤによって画定され得る。 
【０１０５】
図１６に図示された実施形態では、ベース７２は、１７２で模式的に図示された、長手方向に延在するレールのシステム上で移動するよう構成されたプラットフォーム（図示なし）上で形成される。レール１７２は、海岸線ＳＬ又はドックＤの縁部に略平行に延在する。図１６は、組立区域Ａ４で建設され、組み立てられているベース７２を図示しているが、浮体式風力タービンプラットフォームを建設し、組み立て、進水させる方法Ｍ４の第４実施形態は、ハル７０、及び／又が完成した浮体式風力タービンプラットフォーム１０を建設し、組み立てるのに使用されてもよい。あるいは、ベース７２、ハル７０、及び／又は完成した浮体式風力タービンプラットフォーム１０の移動方法には、ジャッキ及びスライドシステム、又は大型で重量のある物体を動かすその他の任意の方法が含まれ得る。ベース７２は、上述の通り、クレーン９４などで組み立てられ、ポストテンションされ得る。
【０１０６】
長手方向に延在するレールの第２システムが、１７４で模式的に図示されている。レール１７４は、レール１７２及び海岸線ＳＬに略垂直に延在し、水域ＢＷ内へ進水できるよう、レール１７２から海岸線ＳＬまでのベース７２の移動を可能にする。
【０１０７】
進水バージ１７６はドックＤに係留され、上向きのデッキ１７８を具備する。進水レール１８０は、デッキ１７８に取り付けられ、ベース７２の、レール１７４から進水バージ１７６上への移動を容易にする。
【０１０８】
追加となる２つの浮体式組立区域Ａ５及びＡ６は、ドックＤに隣接して画定され、組立区域Ａ５及びＡ６はそれぞれ、クレーン９４のうちの１つを具備し得る。
【０１０９】
所望の場合、フィンガーピア１８２は、海岸線ＳＬ又はドックＤから外側に延在し得る。フィンガーピア１８２は、組立区域Ａ４から離れた場所で建設された、キーストーン７６又はビームセクション８２のような、浮体式風力タービンタワー１０の部品を輸送するのに使用され得るバージ１８４を受け、アンロードするよう構成され得る。ガントリークレーン１８６のようなクレーンは、バージ１８４をアンロードするために供給され得る。 
【０１１０】
ベース７２は、本明細書で説明される方法のいずれかを使用して建設され得る。図６に示すように、ベース７２は、組立区域Ａ４のうちの１つ又は複数で、組立ライン方法で建設され、組み立てられ得る。一旦完成すると、ベース７２はさらに、レール１７２上で、レール１７２がレール１７４と交差する伝達エリアＴ３へ移動され得る。ベース７２はさらに、レール１７４及び１８０上で、進水バージ１７６上に移動され得る。
【０１１１】
方法Ｍ４の第２ステップでは、ベース７２は、上述の通り、進水バージ１７６から水域ＢＷ内へ進水し得る。浮揚性のベース７２はさらに、方法Ｍ４の第３ステップが実施され得る組立区域Ａ５に移動することになる。例えば、第３ステップでは、カラム７８及び８０は、組立区域Ａ５で建設され、ベース７２に組み立てられ、さらにハル７０を画定し得る。 
【０１１２】
第１方法Ｍ１におけるように、センターカラム７８及びアウターカラム８０のカラムセクション８６は、クレーン９４などで組み立てられ、ポストテンションされ、ハル７０を画定し得る。例えば、センターカラム７８は、キーストーン７６上の長手方向軸に沿ってポストテンションされ得、アウターカラム８０は、ボトムビーム７４のカラムベースセクション８４上の長手方向軸に沿ってポストテンションされ得る。所望の場合、センターカラム７８とアウターカラム８０をまとめてポストテンションする前に、センターカラム７８及びアウターカラム８０のセクション８６間に接着剤を塗布してもよい。ハル７０をポストテンションするステップは、例えば、１週間に浮体式風力タービンプラットフォーム１０を１つ生産する、といった、所望の生産速度を確保するため、任意の所望の作業者数又は作業者チーム数で達成され得ることが理解されるだろう。ハル７０はさらに、水中で牽引することなどによって、方法Ｍ４の第４ステップが実施され得る組立区域Ａ６へ移動され得る。
【０１１３】
方法Ｍ４の第４ステップでは、キャットウォーク３２と、タワーアクセスプラットフォーム３２ａと、ラダー３３とを具備し得る、トップビーム３０のような二次構造が、クレーン９４などで、ハル７０上に載置され得る。ハル機電システム（図示なし）もまた、クレーン９４などで、ハル７０上及びハル７０内に載置され得る。さらに、タワー１４の部品が、クレーン９４などで建設され、及び／又は、ハル７０に組み立てられ、風力タービン１６もまた、クレーン９４でタワー１４上に設置され、浮体式風力タービンプラットフォーム１０の建設及び組立を完了する。
【０１１４】
あるいは、進水バージ１７６の代わりに、方法Ｍ４は、図１７Ａから図１７Ｅに示される進水バージのいずか、又は、上述の半没水式の進水バージ１２０を具備し得る。
【０１１５】
浮体式風力タービンプラットフォーム１０はさらに、ドックＤから、風力タービンファームのような、浮体式風力タービンプラットフォーム１０と取り付けられた風力タービン１６を作動させることになる位置まで牽引し得る。
【０１１６】
本発明の運転の原理及び形態を、その好ましい実施形態で説明し、図示してきた。しかしながら、本発明は、具体的に説明し、図示した以外の方法でも、その精神又は範囲から逸脱することなく実施され得ることを理解しなくてはならない。
【図１】
0006744867.tif 000002
【図２】
0006744867.tif 000003
【図３】
0006744867.tif 000004
【図４】
0006744867.tif 000005
【図５】
0006744867.tif 000006
【図６】
0006744867.tif 000007
【図７】
0006744867.tif 000008
【図８】
0006744867.tif 000009
【図９】
0006744867.tif 000010
【図１０】
0006744867.tif 000011
【図１１】
0006744867.tif 000012
【図１２】
0006744867.tif 000013
【図１３】
0006744867.tif 000014
【図１４】
0006744867.tif 000015
【図１５】
0006744867.tif 000016
【図１６】
0006744867.tif 000017
【図１７】
0006744867.tif 000018
【図１８】
0006744867.tif 000019